(57)【要約】【課題】めっき不良の発生を低減できる電子部品のめっき装置を提供することを目的とする。【解決手段】バレル１１の端面の中央に設けられかつその中心部に貫通孔１２を有する回転軸１３と、この回転軸１３の貫通孔１２を通ってバレル１１内へ引き入れられた電極１４とを備え、前記電極１４を先端へ行くに連れて下方へ位置するように傾斜させたものである。【選択図】      図１
2004353001.tif 000002
【特許請求の範囲】
【請求項１】
めっき槽中に貯留されためっき液に浸漬可能になるように設けられたバレルと、
このバレルの端面の中央に設けられかつその中心部に貫通孔を有する回転軸と、
この回転軸の貫通孔を通って前記バレル内へ引き入れられた電極と
を備え、前記電極を先端へ行くに連れて下方へ位置するように傾斜させた
電子部品のめっき装置。
【請求項２】
前記電極の前記回転軸を通過する部分と前記バレル内へ引き入れられた部分を、先端に行くに連れて下方へ位置するように傾斜させた
請求項１記載の電子部品のめっき装置。
【請求項３】
前記電極の断面の形状を上部が尖っているように構成した
請求項１または請求項２記載の電子部品のめっき装置。
【請求項４】
めっき槽中に貯留されためっき液に浸漬可能になるように設けられたバレルと、
このバレルの端面の中央に設けられかつその中心部に貫通孔を有する回転軸と、  この回転軸の貫通孔を通って前記バレル内へ引き入れられた電極と
を備え、電極の断面の形状を上部が尖っているように構成した
電子部品のめっき装置。
【発明の詳細な説明】
【０００１】
【発明の属する技術分野】
本発明は、電子部品の製造に際して使用される電子部品のめっき装置に関するものである。
【０００２】
【従来の技術】
従来の電子部品のめっき装置は、図３に示すように電極１を、バレル２の回転軸３の貫通孔３ａを通ってバレル２内に水平に引き入れられた導入部４と、この導入部４の先端において下方に直角に折り曲げられた折曲部５と、この折曲部５の先端で導入部４と略平行になるように再度直角に折り曲げられた先端部６とにより構成している。
【０００３】
また、バレル２がめっき液７に浸漬されると、バレル２の下部に沈んでいる電子部品等の被めっき物及びメディアからなる液めっき物層８内に、電極１の先端部６が埋設される。これにより、被めっき物層８の中の被めっき物へ電極１の先端部６から電気が流れて、被めっき物にめっきが形成される。電極１の断面形状は略円形または略方形である。
【０００４】
なお、この出願の発明に関連する先行技術文献情報としては、例えば、（特許文献１）が知られている。
【０００５】
【特許文献１】
特開平９−１１９０００号公報
【０００６】
【発明が解決しようとする課題】
上記した従来の電子部品のめっき装置は、バレル２が回転している間に、あるいは被めっき物をバレル２に投入した際に、被めっき物が電極１の導入部４の上面に一旦乗ってしまうと、この被めっき物は被めっき物層８に落下できず、これにより、この被めっき物へ電気が流れず、めっき不良が発生するという課題を有していた。
【０００７】
本発明は上記従来の課題を解決するもので、めっき不良の発生を低減できる電子部品のめっき装置を提供することを目的とする。
【０００８】
【課題を解決するための手段】
上記目的を達成するために、本発明は以下の構成を有する。
本発明の電子部品のめっき装置は、特に、バレルの端面の中央に設けられかつその中心部に貫通孔を有する回転軸と、この回転軸の貫通孔を通ってバレル内へ引き入れられた電極とを備え、前記電極を先端へ行くに連れて下方へ位置するように傾斜させたもので、このめっき装置によれば、被めっき物が電極の上面に一旦乗ってしまっても、電極は先端へ行くに連れて下方へ位置するように傾斜しているので、この傾斜によって被めっき物は被めっき物層に自然落下するため、この被めっき物へ電気を流すことができ、これにより、めっき不良の発生を低減できるという作用効果が得られる。
【０００９】
また、前記電極の前記回転軸を通過する部分と前記バレル内へ引き入れられた部分を、先端に行くに連れて下方へ位置するように傾斜させたもので、このめっき装置によれば、回転軸の貫通孔からバレル内へ引き出された直近の電極が水平になるのを防ぐことができ、これにより、被めっき物が電極の上面に一旦乗ってしまっても、傾斜によって被めっき物は被めっき物層に自然落下するため、この被めっき物へより確実に電気を流すことができ、これにより、めっき不良の発生をより確実に低減できるという作用効果が得られる。
【００１０】
特に、前記電極の断面の形状を上部が尖っているように構成したもので、このめっき装置によれば、被めっき物が電極の上面に一旦位置しても、尖った部分と連続する傾斜によってすぐに被めっき物は被めっき物層に自然落下するため、被めっき物が電極上面に乗ってしまうことはなく、これにより、この被めっき物へより確実に電気を流すことができるため、めっき不良の発生をより確実に低減できるという作用効果が得られる。
【００１１】
【発明の実施の形態】
以下、本発明の各実施の形態を図１と図２に基づいて説明する。
（実施の形態１）
図１は本発明の（実施の形態１）における電子部品のめっき装置の主要部を示す断面図である。なお、図１は電子部品のめっき装置をめっき液１０に浸漬した状態を示す。
【００１２】
図１に示すように本発明の一実施の形態における電子部品のめっき装置は、筒状のバレル１１と、このバレル１１の端面の中央に設けられかつその中心部に貫通孔１２を有する回転軸１３と、この回転軸１３の貫通孔１２を通ってバレル１１内へ引き入れられた電極１４とを備え、前記電極１４を先端へ行くに連れて下方へ位置するように傾斜させている。
【００１３】
また、前記電極１４は、回転軸１３の貫通孔１２を通る部分においても、バレル１１に行くに連れて下方へ位置するように傾斜させている。さらに、バレル１１がめっき液１０に浸漬されると、バレル１１の下部に沈んでいる被めっき物とメディアとからなる被めっき物層１５内に電極１４の先端部１６が埋設される。
【００１４】
バレル１１は、めっき槽１７に貯留されためっき液１０に浸漬可能になるように設けられ、その周壁に多数の通液孔を有し、断面６角形、円形などの筒状で、アクリル樹脂等からなる。さらに、このバレル１１の側面の一部には被めっき物（図示せず）が入るように蓋がついている。
【００１５】
また、めっきを形成するときは、被めっき物と、この被めっき物への電気的導通を補助するためのメディア（図示せず）とを、バレル１１の外へ流出しないように収容する。
【００１６】
なお、バレル１１は被めっき物にめっきを形成するとき以外はめっき液１０内に浸漬されていないが、めっきを形成するときにはめっき液１０内に浸漬される。
【００１７】
ここで、被めっき物は、チップ抵抗器、チップインダクタ等の電子部品で、めっき装置で表面にニッケルめっきやすずめっきあるいははんだめっきが形成される。
【００１８】
回転軸１３は、バレル１１を回転させるためにバレル１１の両端面の中央に設けられ、かつその中心部にそれぞれ貫通孔１２を有している。この回転軸１３に連結された回転手段（図示せず）によってバレル１１を回転させる。
【００１９】
電極１４は、バレル１１内に２本備えられ、断面の形状が略円形または略方形で、銅、アルミニウム等からなり、先端部１６を除いて絶縁性樹脂等によって絶縁被覆されている。そして、回転軸１３の貫通孔１２を通ってバレル１１内へ引き入れられ、かつバレル１１内だけでなく回転軸１３の貫通孔１２を通る部分においても、先端へ行くに連れて下方へ位置するように傾斜させている。さらに、電極１４はバレル１１と共に回転しないように固定的に配置されている。
【００２０】
なお、前記電極１４は、バレル１１内のみ先端へ行くに連れて下方へ位置するように傾斜させ、そしてバレル１１の外に位置する部分は水平にしてもよい。このとき、バレル１１の内に引き入れられた直近において、バレル１１の内壁近辺で電極１４を下方へ折り曲げようとすると、バレル１１の回転によって折り曲がった部分が削られる恐れがあるため、バレル１１の内壁からある程度の距離、例えばバレル１１の長手方向の長さの１／２の距離は電極１４を水平にした方がよい。
【００２１】
被めっき物層１５は、電子部品等の被めっき物とメディアとからなり、めっき液１０に浸漬した状態で少なくとも貫通孔１２より下方に存在している。なお、メディアは被めっき物への電気的導通を補助する機能を有した銅球、鋼球等で、メディアを被めっき物と共にバレル１１に投入することによって、電極１４と被めっき物とが電気的に接続される。なお、絶縁性樹脂等によって絶縁被覆された電極１４の断面の形状は、略円形または略方形である。
【００２２】
電極１４の先端部１６は、被めっき物層１５内に位置しており、これにより、被めっき物層１５の中の被めっき物へ電気が流れ、被めっき物にめっきが形成される。すなわち、被めっき物は被めっき物層１５の中に存在すれば、電気を流すことができるため、めっきを形成することができる。
【００２３】
このように、バレル１１の端面の中央に設けられかつその中心部に貫通孔１２を有する回転軸１３と、この回転軸１３の貫通孔１２を通ってバレル１１内へ引き入れられた電極１４とを備え、前記電極１４を先端へ行くに連れて下方へ位置するように傾斜させているため、被めっき物が電極１４の上面に一旦乗ってしまっても、傾斜によって被めっき物は被めっき物層１５に自然落下することになり、これにより、この被めっき物へ電気を流すことができるため、めっき不良の発生を低減できるという効果が得られる。
【００２４】
また、電極１４の前記回転軸１３の貫通孔１２を通る部分も、バレル１１へ行くに連れて、すなわち電極１４の先端へ行くに連れて下方へ位置するように傾斜させているため、電極１４の前記バレル１１内に位置する部分と同様に、電極１４の先端へ行くに連れて下方へ位置するように傾斜しているもので、これにより、回転軸１３の貫通孔１２からバレル１１内へ引き出された直近の電極１４が水平になることを防ぐことができるため、被めっき物が電極１４の上面に一旦乗ってしまっても、傾斜によって被めっき物は被めっき物層１５に自然落下することになり、これにより、この被めっき物へより確実に電気を流すことができるため、めっき不良の発生をより確実に低減できるものである。
【００２５】
（実施の形態２）
図２は本発明の（実施の形態２）における電子部品のめっき装置の主要部を示す断面図で、図１におけるＡ−Ａ′の断面を示す。
【００２６】
（実施の形態１）における電極１４は、絶縁性樹脂等によって絶縁被覆された断面の形状が略円形または略方形であったが、この（実施の形態２）に示すように絶縁被覆された電極１４を、断面の形状の上部Ｐが尖っている三角形状に構成すれば、被めっき物が電極１４の上面に一旦位置しても、尖った部分と連続する傾斜によってすぐに被めっき物は被めっき物層１５に自然落下するため、被めっき物が電極１４の上面に乗ってしまうことはなく、これにより、この被めっき物へより確実に電気を流すことができるため、めっき不良の発生をより確実に低減できるものである。
【００２７】
なお、（実施の形態２）では図１に示した（実施の形態１）の電子部品のめっき装置の電極１４を断面の形状の上部が尖っている形状にした場合を例に挙げて説明したが、図３に示した電子部品のめっき装置の電極４を、この（実施の形態２）のように、断面の形状の上部Ｐが尖っている三角形状に構成すれば、被めっき物が電極４の上面に一旦位置しても、尖った部分と連続する傾斜によってすぐに被めっき物は被めっき物層８に自然落下するため、めっき不良の発生を低減できる。
【００２８】
【発明の効果】
以上のように本発明によれば、バレルの端面の中央に設けられかつその中心部に貫通孔を有する回転軸と、この回転軸の貫通孔を通ってバレル内へ引き入れられた電極とを備え、前記電極を先端へ行くに連れて下方へ位置するように傾斜させているため、被めっき物が電極の上面に一旦乗ってしまっても、傾斜によって被めっき物は被めっき物層に自然落下することになり、これにより、この被めっき物へ電気を流すことができるため、めっき不良の発生を低減できるという効果を奏するものである。
【図面の簡単な説明】
【図１】本発明の（実施の形態１）における電子部品のめっき装置の主要部を示す断面図
【図２】本発明の（実施の形態２）における電極の形状を示す図１のＡ−Ａ′断面図
【図３】従来の電子部品のめっき装置の主要部を示す断面図
【符号の説明】
１０    めっき液
１１    バレル
１２    貫通孔
１３    回転軸
１４    電極
１５    被めっき物層
１７    めっき槽
Ｐ    電極の尖った上部
【図１】
2004353001.tif 000003
【図２】
2004353001.tif 000004
【図３】
2004353001.tif 000005